(57)【特許請求の範囲】
【請求項１】
鍵盤と、前記鍵盤の操作に応じた楽音信号を生成する楽音生成回路と、前記楽音生成回路が生成した楽音信号を放音するスピーカと、内部空間に前記楽音生成回路及び前記スピーカが収容され、前記鍵盤を演奏部位が露出した状態で支持する筐体とを有する電子鍵盤楽器において、
前記筐体は、前記スピーカの放音面から発せられる音を外部に導いて筐体外に伝搬させる第１の放音経路と、前記スピーカの放音面の背後から発せられる音を前記内部空間を経由して前記筐体外に伝搬させる第２の放音経路が形成されるように構成され、
前記第１の放音経路から伝搬される第１の音の残響、及び前記第２の放音経路から伝搬される第２の音の残響について、前記スピーカの駆動によって前記内部空間に生じる特定周波数の固有振動姿態の音圧の腹に制御点が位置し、前記特定周波数で共鳴することで前記音圧の腹の場所における音圧を低減させて前記第２の音の残響を調整する共鳴体
を具備することを特徴とする電子鍵盤楽器。
【請求項２】
前記スピーカは２以上設けられ、
前記２以上のスピーカを少なくとも２組以上に分割するように前記内部空間を仕切る仕切板を有し、
前記共鳴体は、前記仕切板で区切られた空間であって、前記スピーカが位置する空間のいずれか２つ以上に設けられる
ことを特徴とする請求項１に記載の電子鍵盤楽器。
【請求項３】
前記鍵盤は、複数の鍵からなり、前記筐体の前側面に沿って配設され、
前記筐体の前側面の前記鍵盤が配設された位置よりも上部に設けられた放音孔と、
前記筐体の内部空間に配設され、前記鍵盤の操作に応じた楽音信号を生成する楽音信号生成回路とを備え、
前記スピーカは、少なくとも１つ備えられ、
前記共鳴体は、少なくとも１つ備えられ、前記筐体の前記内部空間に配設され、その一部が開放した開放部を有し、前記スピーカの駆動によって前記筐体の内部空間に生じる周波数における固有振動姿態の音圧の腹に配設されるものである
ことを特徴とする請求項１又は２に記載の電子鍵盤楽器。
【請求項４】
前記少なくとも１つの共鳴体は、その一端が前記開放部としての開放端部及びその他端が閉端部で構成された管状体からなり、前記管状体の径が、前記開放端部と前記閉端部の間の距離よりも小さく、且つ、前記管状体は、その軸が前記筐体の前記内部空間において前記複数の鍵が配列される配列方向に平行となるように配設されるものである
請求項３に記載の電子鍵盤楽器。
【請求項５】
前記管状体は、前記開放端を、前記複数の鍵の配列方向における前記筐体の前記内部空間の端部に向けて配設されるものである
請求項４に記載の電子鍵盤楽器。
【請求項６】
前記少なくとも１つの共鳴体は、少なくとも４つの共鳴体として構成され、
前記少なくとも４つの共鳴体のうちの２つは、それぞれの開放端を、前記複数の鍵の配列方向における前記筐体の内部空間の両端部のそれぞれに向けて配設され、
前記少なくとも４つの共鳴体のうちの少なくとも２つは、それぞれの開放端を、前記複数の鍵の配列方向における前記筐体の内部空間の中央部に向けて配設されるものである
請求項５に記載の電子鍵盤楽器。
【請求項７】
前記スピーカは、少なくとも１つ備えられ、
前記共鳴体は、少なくとも１つ備えられ、前記筐体の前記内部空間に配設され、その一部が開放した開放部を有し、前記少なくとも１つのスピーカの駆動によって前記筐体の内部空間に生じる周波数における固有振動姿態の音圧の腹に、前記開放部が配置されるものであり、
前記筐体は、内部空間に前記少なくとも１つのスピーカ及び回路部品を収容し、その内部空間として、前記鍵盤が載置される棚板で部分的に仕切られた下側の第１室と上側の第２室とを定義するものである
ことを特徴とする請求項１から６のいずれか１項に記載の電子鍵盤楽器。
【請求項８】
鍵盤と、前記鍵盤の操作に応じた楽音信号を生成する楽音生成回路と、前記楽音生成回路が生成した楽音信号を放音する２以上のスピーカと、内部空間に前記楽音生成回路及び前記２以上のスピーカが収容され、前記鍵盤を演奏部位が露出した状態で支持する筐体と、前記２以上のスピーカを少なくとも２組以上に分割するように前記内部空間を仕切る仕切板とを有する電子鍵盤楽器において、
前記筐体は、前記スピーカの放音面から発せられる音を外部に導いて筐体外に伝搬させる第１の放音経路と、前記スピーカの放音面の背後から発せられる音を前記内部空間を経由して前記筐体外に伝搬させる第２の放音経路が形成されるように構成され、
前記スピーカの駆動によって前記内部空間に生じる特定周波数の固有振動姿態の音圧の腹に制御点が位置し、前記特定周波数で共鳴することで前記音圧の腹の場所における音圧を低減させる共鳴体であって、前記仕切板で区切られ且つ前記スピーカが位置する空間のいずれか２つ以上に設けられる共鳴体と、
前記スピーカが位置する前記空間内に設けられ、筐体内の振動が前記スピーカの放音時にその振動動作に対して反力を生じる周波数で共鳴する第２の共鳴体、又は、前記第２の放音経路の前記筐体外に通じる位置に、前記特定周波数とは異なる周波数の固有振動姿態の音圧の腹が位置するように前記固有振動姿態を調整する第３の共鳴体の少なくともいずれか一方と
を具備することを特徴とする電子鍵盤楽器。
【請求項９】
鍵盤と、
前記鍵盤の操作に応じた楽音信号を生成する楽音信号生成回路と、
前記鍵盤及び前記楽音信号生成回路を下方から支持する鍵支持部材と、
前記楽音信号生成回路が生成した楽音信号を放音する少なくとも１つのスピーカと、
前記鍵支持部材の下方に配置され、内部空間に前記少なくとも１つのスピーカを収容するスピーカボックスと、
前記スピーカボックスの内部空間に配置される少なくとも１つの共鳴体を備え、
前記少なくとも１つの共鳴体は、長手方向の一端が閉じた閉端部で構成され他端が開放した開放端部で構成された管状体からなり、
前記少なくとも１つの共鳴体は、その開放端部が、少なくとも１つのスピーカの放音時の振動を抑止する反力を生じさせる音波の特定周波数の固有振動姿態の音圧の腹に位置し、前記特定周波数で共鳴することで、前記特定周波数の固有振動姿態の音圧の節が前記少なくとも１つのスピーカ近傍に位置するものである電子鍵盤楽器。
【請求項１０】
音響信号を生成する音響信号生成回路と、
前記音響信号生成回路が生成した音響信号を放音する少なくとも１つのスピーカと、
内部空間に前記少なくとも１つのスピーカを収容するスピーカボックスと、
前記スピーカボックス内に配置される少なくとも１つの共鳴体と、を備え、
前記少なくとも１つの共鳴体は、その開放端部が、少なくとも１つのスピーカの放音時の振動を抑止する反力を生じさせる音波の特定周波数の固有振動姿態の音圧の腹に位置し、前記特定周波数で共鳴することで、前記特定周波数の固有振動姿態の音圧の節が前記少なくとも１つのスピーカ近傍に位置するものである音響調整システム。
【発明の詳細な説明】
【技術分野】
【０００１】
本発明は、電子鍵盤楽器に関し、該楽器から発生する音響特性のあばれが少ない音響構造を有した電子鍵盤楽器及び音響調整システムに関する。
【背景技術】
【０００２】
下記特許文献１には、スピーカが収容された筐体を有する電子鍵盤楽器において、スピーカから放音される音が演奏者に聞きやすいように、スピーカの放音面から音を放音させるだけでなく、筐体の内部空間から演奏者に向けてスピーカの音を放音させるトーンエスケープ等の放音孔を有する電子鍵盤楽器が開示されている。
【先行技術文献】
【特許文献】
【０００３】
【特許文献１】特開２００５−２０２１９０号公報
【発明の概要】
【発明が解決しようとする課題】
【０００４】
電気鍵盤楽器等のスピーカが内蔵された筐体のスピーカの背後の空間には、スピーカの振動によって筐体の形状等に応じた共鳴周波数の固有振動姿態が生じる。
本発明は、スピーカを内蔵した電子楽器において、筐体内のスピーカ背後空間において発生する不要な共鳴を低減することができる電子鍵盤楽器を提供する。
【課題を解決するための手段】
【０００５】
上述した目的を達成するために、本発明に係る電子鍵盤楽器は、鍵盤と、前記鍵盤の操作に応じた楽音信号を生成する楽音生成回路と、前記楽音生成回路が生成した楽音信号を放音するスピーカと、内部空間に前記楽音生成回路及び前記スピーカが収容され、前記鍵盤を演奏部位が露出した状態で支持する筐体とを有する電子鍵盤楽器において、前記筐体は、前記スピーカの放音面から発せられる音を外部に導いて筐体外に伝搬させる第１の放音経路と、前記スピーカの放音面の背後から発せられる音を前記内部空間を経由して前記筐体外に伝搬させる第２の放音経路が形成されるように構成され、前記第１の放音経路から伝搬される第１の音の残響、及び前記第２の放音経路から伝搬される第２の音の残響について、前記スピーカの駆動によって前記内部空間に生じる特定周波数の固有振動姿態の音圧の腹に制御点が位置し、前記特定周波数で共鳴することで前記音圧の腹の場所における音圧を低減させて前記第２の音の残響を調整する共鳴体を具備することを特徴とする。
この構成において、前記スピーカは２以上設けられ、前記２以上のスピーカを少なくとも２組以上に分割するように前記内部空間を仕切る仕切板を有し、前記共鳴体は、前記仕切板で区切られた空間であって、前記スピーカが位置する空間のいずれか２つ以上に設けられることが好ましい。
【０００６】
また、この構成において、前記鍵盤は、複数の鍵からなり、前記筐体の前側面に沿って配設され、前記筐体の前側面の前記鍵盤が配設された位置よりも上部に設けられた放音孔と、前記筐体の内部空間に配設され、前記鍵盤の操作に応じた楽音信号を生成する楽音信号生成回路とを備え、前記スピーカは、少なくとも１つ備えられ、前記共鳴体は、少なくとも１つ備えられ、前記筐体の前記内部空間に配設され、その一部が開放した開放部を有し、前記スピーカの駆動によって前記筐体の内部空間に生じる周波数における固有振動姿態の音圧の腹に配設されるものであることを特徴とする。
また、この構成において、前記少なくとも１つの共鳴体は、その一端が前記開放部としての開放端部及びその他端が閉端部で構成された管状体からなり、前記管状体の径が、前記開放端部と前記閉端部の間の距離よりも小さく、且つ、前記管状体は、その軸が前記筐体の前記内部空間において前記複数の鍵が配列される配列方向に平行となるように配設されることが好ましい。
また、この構成において、前記管状体は、前記開放端を、前記複数の鍵の配列方向における前記筐体の前記内部空間の端部に向けて配設されることが好ましい。
また、この構成において、前記少なくとも１つの共鳴体は、少なくとも４つの共鳴体として構成され、前記少なくとも４つの共鳴体のうちの２つは、それぞれの開放端を、前記複数の鍵の配列方向における前記筐体の内部空間の両端部のそれぞれに向けて配設され、前記少なくとも４つの共鳴体のうちの少なくとも２つは、それぞれの開放端を、前記複数の鍵の配列方向における前記筐体の内部空間の中央部に向けて配設されるものであることが好ましい。
【０００７】
また、この構成において、前記スピーカは、少なくとも１つ備えられ、前記共鳴体は、少なくとも１つ備えられ、前記筐体の前記内部空間に配設され、その一部が開放した開放部を有し、前記少なくとも１つのスピーカの駆動によって前記筐体の内部空間に生じる周波数における固有振動姿態の音圧の腹に、前記開放部が配置されるものであり、前記筐体は、内部空間に前記少なくとも１つのスピーカ及び回路部品を収容し、その内部空間として、前記鍵盤が載置される棚板で部分的に仕切られた下側の第１室と上側の第２室とを定義するものであることを特徴とする。
【０００８】
また、本発明に係る電子鍵盤楽器は、鍵盤と、前記鍵盤の操作に応じた楽音信号を生成する楽音生成回路と、前記楽音生成回路が生成した楽音信号を放音する２以上のスピーカと、内部空間に前記楽音生成回路及び前記２以上のスピーカが収容され、前記鍵盤を演奏部位が露出した状態で支持する筐体と、前記２以上のスピーカを少なくとも２組以上に分割するように前記内部空間を仕切る仕切板とを有する電子鍵盤楽器において、前記筐体は、前記スピーカの放音面から発せられる音を外部に導いて筐体外に伝搬させる第１の放音経路と、前記スピーカの放音面の背後から発せられる音を前記内部空間を経由して前記筐体外に伝搬させる第２の放音経路が形成されるように構成され、前記スピーカの駆動によって前記内部空間に生じる特定周波数の固有振動姿態の音圧の腹に制御点が位置し、前記特定周波数で共鳴することで前記音圧の腹の場所における音圧を低減させる共鳴体であって、前記仕切板で区切られ且つ前記スピーカが位置する空間のいずれか２つ以上に設けられる共鳴体と、前記スピーカが位置する前記空間内に設けられ、筐体内の振動が前記スピーカの放音時にその振動動作に対して反力を生じる周波数で共鳴する第２の共鳴体、又は、前記第２の放音経路の前記筐体外に通じる位置に、前記特定周波数とは異なる周波数の固有振動姿態の音圧の腹が位置するように前記固有振動姿態を調整する第３の共鳴体の少なくともいずれか一方とを具備することを特徴とする。
また、本発明に係る電子鍵盤楽器は、鍵盤と、前記鍵盤の操作に応じた楽音信号を生成する楽音信号生成回路と、前記鍵盤及び前記楽音信号生成回路を下方から支持する鍵支持部材と、前記楽音信号生成回路が生成した楽音信号を放音する少なくとも１つのスピーカと、前記鍵支持部材の下方に配置され、内部空間に前記少なくとも１つのスピーカを収容するスピーカボックスと、前記スピーカボックスの内部空間に配置される少なくとも１つの共鳴体を備え、前記少なくとも１つの共鳴体は、長手方向の一端が閉じた閉端部で構成され他端が開放した開放端部で構成された管状体からなり、前記少なくとも１つの共鳴体は、その開放端部が、少なくとも１つのスピーカの放音時の振動を抑止する反力を生じさせる音波の特定周波数の固有振動姿態の音圧の腹に位置し、前記特定周波数で共鳴することで、前記特定周波数の固有振動姿態の音圧の節が前記少なくとも１つのスピーカ近傍に位置するものであることを特徴とする。
【０００９】
また、本発明に係る音響調整システムは、音響信号を生成する音響信号生成回路と、前記音響信号生成回路が生成した音響信号を放音する少なくとも１つのスピーカと、内部空間に前記少なくとも１つのスピーカを収容するスピーカボックスと、前記スピーカボックス内に配置される少なくとも１つの共鳴体と、を備え、前記少なくとも１つの共鳴体は、その開放端部が、少なくとも１つのスピーカの放音時の振動を抑止する反力を生じさせる音波の特定周波数の固有振動姿態の音圧の腹に位置し、前記特定周波数で共鳴することで、前記特定周波数の固有振動姿態の音圧の節が前記少なくとも１つのスピーカ近傍に位置するものであることを特徴とする。
【発明の効果】
【００１０】
本発明によれば、スピーカを内蔵した電子鍵盤楽器において、筐体内のスピーカの背後空間で発生する不要な共鳴を低減することができる。
【図面の簡単な説明】
【００１１】
【図１】実施形態１に係る電子鍵盤楽器の外観を示す斜視図である。
【図２】実施形態１に係る電子鍵盤楽器の斜視図である。
【図３】図２に示す電子鍵盤楽器を上面から見た図である。
【図４】実施形態１に係る共鳴器を示す図である。
【図５】（ａ）〜（ｃ）は第１の放音経路と第２の放音経路の伝搬音の残響を表すイメージ図である。
【図６】（ａ）及び（ｂ）は第１の放音経路と第２の放音経路の伝搬音の残響を表すイメージ図である。
【図７】（ａ）及び（ｂ）は実施形態１に係る筐体部の固有振動姿態の波長を説明する図である。
【図８】（ａ）〜（ｃ）は実施形態１において共鳴器を設ける場合と設けない場合の周波数特性を示す図である。
【図９】実施形態２に係る電子鍵盤楽器の斜視図である。
【図１０】図９に示す電子鍵盤楽器の正面図である。
【図１１】図１０に示す電子鍵盤楽器の下前板上を取り外した状態の図である。
【図１２】図１０中の切断線Ｂ−Ｂで切断した場合の電子鍵盤楽器の断面図である。
【図１３】図１０に示す電子鍵盤楽器の下前板上及び下前板下とスピーカを取り外した状態の図である。
【図１４】図１０中の切断線Ａ−Ａで切断したときの電子鍵盤楽器の断面図である。
【図１５】（ａ）及び（ｂ）は実施形態２に係る仕切板の位置を説明する図である。
【図１６】実施形態２において仕切板を設けた場合の演奏者位置における聴取音圧周波数特性を示す図である。
【図１７】（ａ）〜（ｄ）は実施形態２に係る共鳴体を表す図である。
【図１８】実施形態２に係る第２共鳴器の開口部の位置を説明する図である。
【図１９Ａ】図１６中のＲ部分について共鳴体の設置パターン毎の聴取音圧周波数特性を示す図である。
【図１９Ｂ】共鳴体の設置パターンを示す図である。
【図２０】実施形態３に係る電子鍵盤楽器の斜視図である。
【図２１】図２０に示す電子鍵盤楽器の正面図である。
【図２２】図２１中の切断線XXII-XXIIで切断した場合の電子鍵盤楽器の断面図である。
【図２３】スピーカボックス内のスピーカの位置と共鳴体の配設位置を示す図である。
【図２４Ａ】スピーカボックス内に共鳴器を配設していない場合の音圧の様子を示す図である。
【図２４Ｂ】スピーカボックス内に共鳴器を配設した場合の音圧の様子を示す図である。
【図２４Ｃ】スピーカボックス内に共鳴器を配設した場合の音圧の様子を示す図である。
【図２５Ａ】スピーカボックス内に共鳴器を配設していない場合の音圧の様子を示す図である。
【図２５Ｂ】スピーカボックス内に共鳴器を配設した場合の音圧の様子を示す図である。
【図２５Ｃ】スピーカボックス内に共鳴器を配設した場合の音圧の様子を示す図である。
【図２６】（ａ）及び（ｂ）は変形例１に係る筐体部の内部空間を上面から見た簡略図である。
【図２７】（ａ）〜（ｄ）は変形例２に係る筐体部の内部空間を正面から見た簡略図である。
【図２８】（ａ）〜（ｃ）は変形例３に係る電子鍵盤楽器の筐体部の形状を説明する図である。
【図２９】（ａ）は、変形例４に係る板振動共鳴体の外観を模式的に表した図である。（ｂ）は、（ａ）中の矢視VI−VIから板振動共鳴体を見た断面図である。
【図３０】（ａ）は、変形例４に係るヘルムホルツ共鳴体の外観を模式的に表した図である。（ｂ）は、（ａ）中の矢視VIII−VIIIからヘルムホルツ共鳴体を見た断面図である。
【図３１】（ａ）は変形例４に係る共鳴体の外観を模式的に表した図である。（ｂ）は（ａ）中の矢視II−IIから共鳴体を見た断面図である。
【図３２】（ａ）〜（ｄ２）は変形例５に係る調整機構を有する管状の共鳴体を表す図である。
【図３３】（ａ）及び（ｂ）は変形例５に係る調整機構を有するヘルムホルツ共鳴体を表す図である。
【図３４】（ａ）は変形例６に係る仕切・共鳴体の設置例を示す図である。（ｂ）は仕切・共鳴体の外観を模式的に表した図である。
【図３５】変形例７に係る電子鍵盤楽器を表す図である。
【図３６】（ａ）〜（ｃ）は実施形態２に係る筐体部の内部空間におけるスピーカと共鳴体の設置例を示す図である。
【発明を実施するための形態】
【００１２】
＜実施形態１＞
図１は、本実施形態に係る電子鍵盤楽器の外観を示す斜視図である。この図に示すように電子鍵盤楽器１は、鍵盤ユニット２と、鍵盤ユニット２を支持する筐体部３と、筐体部３の下部中央付近に設けられるペダルユニット４とを有する。
鍵盤ユニット２は、図面手前側（演奏者側）に設けられ、水平方向に伸びる板状の口棒部１４と、口棒部１４の両端からそれぞれ背側に伸びる板状の腕木部１３，１３と、口棒部１４および腕木部１３，１３によって構成されるコ字状の枠体の底部を覆うように設けられる棚板１９（図３参照）を有している。腕木部１３，１３と、口棒部１４と棚板１９によって構成される枠体には、白鍵と黒鍵が配列された鍵盤１１が収納配置され、鍵盤１１の奥側の上部を覆うように電源スイッチや各種操作スイッチを含む操作パネル１２が設けられている。鍵盤１１の上方には、電子鍵盤楽器１の前方（演奏者側）の筐体部３の側面である前板１１ａ（前側面）が設けられており、前板１１ａには、後述のトーンエスケープ１７ａ（放音孔）が形成されている。また、鍵盤１１を覆う鍵盤蓋１５が設けられ、鍵盤蓋１５は、スライド機構１５１により演奏者側に引き出し可能に構成されており、演奏者側に終端まで引き出された状態では鍵盤１１を覆うようになっている。図１に示す状態では、鍵盤蓋１５は奥側（演奏者の反対側）に引き戻されており、これにより鍵盤１１の演奏部位が露出された状態となっている。なお、鍵盤１１の各鍵には、演奏者によって押下された鍵を検出するための検出スイッチ（図示略）が設けられている。検出スイッチは、検出した鍵に応じた操作信号を後述する楽音信号検出回路に出力する。
【００１３】
筐体部３は、鍵盤ユニット２の左右両端部を各々支持する上下方向に伸びる側板１８，１８を有している。側板１８、１８の下端部は底部部材２１により連結され、また、側板１８，１８の上端部は、板状の屋根板１７によって連結されている。屋根板１７は、側板１８，１８の上部形状に沿うように、電子鍵盤楽器１の上部を覆っている。これら側板１８，１８、屋根板１７および棚板１９の背後側は背面板部 （図示略）によって覆われている。側板１８，１８の底部付近から妻土台２２，２２が演奏者側に突出するように設けられており、この妻土台２２によって筐体部３が安定して立位するようになっている。屋根板１７の中央上面には譜面板１６が設けられると共に、鍵盤蓋１５の上方付近には幅方向に複数設けられたトーンエスケープ１７ａ（破線枠）が形成されている。以下、１７ａは、音響逃部又はＴＥと言う。該音響逃部１７ａは逃がし孔とその外面を覆うサランネットとからなる。該ＴＥは、前記音響逃がし孔のみからなるもの（サランネットなし）でもよい。
上述の構成においては、口棒部１４、棚板１９、腕木部１３，側板１８、屋根板１７、背面板部、鍵盤１１、操作パネル１２によって仕切られる空間が構成される。この空間は、ほぼ閉空間に近い性質をもつが、ＴＥ１７ａや鍵盤１１の鍵と鍵の隙間などから空気の出入りが可能になっている。
ペダルユニット４は、ペダルが演奏者側に突出する状態で、底部部材２１の中央部に収納されている。
【００１４】
次に、筐体部３の詳細について説明する。図２は、図１に示した電子鍵盤楽器１の鍵盤蓋１５で鍵盤１１を覆い、屋根板１７を取り外した状態の斜視図を示しており、図３は図２に示す電子鍵盤楽器１を上面から見た図である。図２及び図３に示すように、筐体部３の内部空間には、楽音信号を放音する２つのスピーカ３０（３０ａ，３０ｂ）が設けられている。スピーカ３０は放音面が下を向くように取り付けられており、放音面に対応する位置における棚板１９には放音用の穴が設けられている。スピーカ３０から発せられる音は、この放音用の穴を介して演奏者に伝搬される。この伝搬経路を以下に第１の放音経路という（図１の破線矢印Ｗ１）。また、鍵盤１１の操作部位が露出している状態において、スピーカ３０の放音面の背後から発せられた音が筐体部３の内部空間を経由し、屋根板１７に設けられたＴＥ１７ａ及び鍵盤１１における鍵と鍵との隙間から演奏者の側に伝搬する。この伝搬経路を以下に第２の放音経路（図１の破線矢印Ｗ２）という。
【００１５】
筐体部３の内部空間には、直方体の管形状で構成された４つの共鳴器（共鳴体）３２（３２ａ，３２ｂ）、押下された鍵を示す操作信号に基づく楽音信号を生成する楽音信号生成回路等の回路基板３４が設けられている。また、筐体部３の内部空間には、少なくとも１つの回路部品が設けられている。ここで、本実施形態に係る共鳴器３２について図４を用いて説明する。図４は、本実施形態の共鳴体の一例である共鳴器３２を示す図である。図４の左図は、共鳴器３２の外観を模式的に表した図であり、共鳴器３２は、例えば厚紙やパルプモールドで形成した形成体又は金属や合成樹脂などの素材を管状となるように形成された共鳴管である。共鳴器３２は、長手方向の一方の端部が開口された開口部（開放部）３２１（制御点）と、開口部３２１に通じる中空領域３２２と、他方の端部が閉じられた閉口部３２３とを有する。共鳴器３２は、その一部が開放部としての開放端部（開口部３２１）及びその他端が閉端部（閉口部３２３）で構成された管状体の一例である。各共鳴器３２の中空領域３２２の長さは同じ長さＬとなっている。図４に示すように、共鳴器３２の径は、開口部３２１（開放端部）と閉口部３２１（閉端部）の間の距離よりも小さい。なお、共鳴器３２の開口部３２１の近傍はグラスウール、クロス、スポンジ、ガーゼ等の通気性を有し、流れ抵抗を有している流れ抵抗材でふさがれていてもよいし、あるいは発泡ウレタンゴム等の素材で通気口を持たせた構造の流れ抵抗材でふさがれていてもよい。また、これらの流れ抵抗材で開口部だけを狭く成形してもよい。
【００１６】
図２及び図３に戻り、説明を続ける。共鳴器３２は、筐体部３の内部空間において、共鳴器３２の長手方向の面が背面板部２０の面と接し、スピーカ３０が設けられている位置より外側の位置となるように固定具や接着剤等により定着されている。また、２つの共鳴体３２ａは、各開口部３２１が矢印Ｌ方向とＲ方向、つまり、筐体外側に各々向くように配置されており、２つの共鳴体３２ｂは、各開口部３２１が矢印Ｌ方向とＲ方向、つまり、互いに対面して筐体内側に向けられている。すなわち、共鳴体３２ａ，３２ｂは、その軸が筐体部３の内部空間において複数の鍵が配列される配列方向に平行となるように配設されている。
【００１７】
ところで、ＴＥ１７ａは、鍵盤１１の操作に応じた楽音の音像を高めるために設けられたものである。図５（ａ）に示すように、第１の放音経路（図１の破線矢印Ｗ１）から伝搬される楽器本来の鍵盤毎の音の残響Ａより第２の放音経路（図１の破線矢印Ｗ２）から伝搬される鍵盤毎の音の残響Ｂの大きさ及び長さが小さくなることが望ましい。例えば、図５（ｂ）や（ｃ）に示すように、残響Ｂが残響Ａよりも大きい場合や長くなる場合には、残響Ｂによって残響Ａがかき消されてしまい、音の粒立ちや鍵盤毎の音量のバランスを崩す要因となる。なお、デジタルイコライザーを用い、スピーカ３０に入力される楽音信号の周波数特性を増幅前に調整した場合、図６（ａ）に示すように、調整前の残響Ａ及び残響Ｂは残響Ａ'及び残響Ｂ'に調整されるが、残響Ａと残響Ｂの音圧レベルを全体的に低下させただけで残響Ｂの傾きは変化しない。
【００１８】
本実施形態では、上記した共鳴器３２を設けることにより、図６（ｂ）に示すように、残響Ａの傾きは変化させず、残響Ａより小さく且つ短くなるように残響Ｂの傾きを調整する。具体的には、筐体部３の内部空間における共鳴周波数の固有振動姿態のうち、スピーカ３０の駆動によって励起されている共鳴周波数の音の残響が上記図６（ｂ）で示す状態となるように、当該共鳴周波数の固有振動姿態の音圧の腹となる位置に共鳴器３２を設ける。
【００１９】
ここで、共鳴器３２によって音圧を低減させる作用について説明する。図４の左図に示した共鳴器３２の開口部３２１に筐体部３の内部空間からの音波が入射すると、音波は、開口部３２１から中空領域３２２内に入射して閉口部３２３で反射され、開口部３２１から再び内部空間に放出される、このとき、図４の右図に示すように中空領域３２２の長さＬの４倍に相当する波長の音波が固有振動姿態ＳＷを作り、振動を繰り返すうちに共鳴器３２の内壁面での摩擦や開口部３２１での気体分子間の粘性作用、共鳴器の共鳴周波数の音波にとって半波長（＝半周期）おくれた音波が共鳴器から放出され続ける位相干渉作用、これら２つの作用のどちらか一方またはその両方によって音響エネルギーを消費し、この波長を中心に開口部３２１近傍で音圧が低減する。共鳴器３２は、中空領域３２２が音を減衰させる対象とする空間に繋がるように配置されることで、その空間における音が共鳴器３２の開口部３２１に入りこんで共鳴器３２が共鳴し、その付近の音圧を低減させる。
【００２０】
発明者らは、例えば、鍵の配列方向の筐体部３の幅（以下、筐体部３の横幅と言う）が１３００ｍｍ程度（８８鍵の場合に多い）である場合に、２８０〜３４０Ｈｚの周波数（Ｃ３〜Ｆ３の鍵盤音に相当）が励起されることを実験によって得ている。従って、筐体部３の内部空間において励起されている２８０〜３４０Ｈｚの音圧を低減すべく、共鳴器３２の中空領域３２２の長さを当該周波数帯域の音波の波長の１／４の長さに設定すればよい。
【００２１】
ここで、筐体部３の内部空間に生じる固有振動姿態について説明する。密閉された中空の直方体における固有周波数ｆNは、直方体の寸法について、ｘ軸方向の長さをＬx、ｙ軸方向の長さをＬy、ｚ軸方向の長さをＬzとした場合、固有周波数ｆNは下記式（１）の関係を満たす。式（１）において、ｃ0は音速を表し、ｎx，ｎy，ｎzはそれぞれ固有振動姿態の次数を表す値であり、「０」以上の任意の整数である。
【数１】
0005927998.tif 000002
【００２２】
直方体の内部空間において、次数ｎx，ｎy，ｎzの値の任意の組み合わせに対して固有周波数が存在する。式（１）により、ｎx，ｎy，ｎzのうち２つが"０"として求められる固有周波数は、一次元モードの固有周波数である。この固有周波数は、内部空間における１の軸に平行な固有振動姿態の周波数に相当する。ｎx，ｎy，ｎzのうち１つが"０"である固有周波数は、二次元モードの固有周波数である。この固有周波数は、内部空間における１対の平行壁面に平行で、他の２対の壁面に斜めに入射する固有振動姿態の周波数に相当する。ｎx，ｎy，ｎzのうちのいずれも"０"でない固有周波数は、三次元モードの固有周波数である。この固有周波数は、直方体の内部空間におけるすべての壁面に斜めに入射する固有振動姿態の周波数に相当する。
【００２３】
筐体部３が密閉されている状態、即ち、ＴＥ１７ａ等が設けられていない場合における１次元モードの２次（ｎx＝２）の固有周波数は上記（１）式より２５０Ｈｚとなる。これは、筐体部３の横幅に相当する波長の周波数である。実験によって得られた２８０〜３４０Ｈｚはこの周波数より１５〜３０％高く、密閉された状態より短い波長となっている。これは、筐体部３にＴＥ１７ａや鍵盤１１の鍵の隙間等の放音経路の影響によるものであると発明者らは考えた。例えば、図７（ａ）に示すような開口部ｖ１と中空領域ｖ２を有する音響管Ｍの場合、開口部ｖ１が中空領域ｖ２に対して極めて小さい場合には両閉管と同様であり、図７（ｂ）（i）に示すように音響管Ｍ内の１次の固有振動姿態の波長は１／２波長となる。また、音響管Ｍの開口部ｖ１が中空領域ｖ２に対して極めて大きい場合には片開管と同様であり、図７（ｂ）（iii）に示すように音響管Ｍ内の１次の固有振動姿態の波長は３／４波長となり、図７（ｂ）（i）と比べて波長が短くなる。これは、２次の場合についても同様である。ＴＥ１７ａ等が設けられた筐体部３の場合には、実験結果からも分かるように、図７（ｂ）（i）と図７（ｂ）（iii）の中間的な図７（ｂ）（ii）に示す波長になる。つまり、両閉管の場合より波長が短く、片開管の場合より波長が長くなるものと考えられる。
【００２４】
筐体部３の内部空間においては、２つのスピーカ３０が同相で駆動するため、内部空間における音圧の節が偶数となる２次や４次の固有振動姿態の固有周波数が特に励起されやすく、音圧の節が一つとなる１次の固有振動姿態の固有周波数は励起されにくい。従って、共鳴器３２は、筐体部３の横幅相当の波長の周波数より１５〜３０％高い特定周波数の波長の１／４の長さとなるように設計すればよい。また、筐体部３の内部空間において、共鳴器３２は、特定周波数の固有振動姿態の音圧の腹の少なくとも一つに当該共鳴器３２の開口部３２１（制御点）が位置するように配置されることで、スピーカ３０の放音による音響が発生したときの内部空間で生じる音の特定周波数（この例では２８０〜３４０Ｈｚ）の音圧が低減される。
【００２５】
図８（ａ）は、上記のように設計された共鳴器３２を筐体部３の内部空間に設けた場合と設けない場合の内部空間における周波数特性を示す図である。図８（ｂ）は、共鳴器３２を筐体部３の内部空間に設けた場合と設けない場合の演奏者位置における周波数特性を示している。図８（ａ）（ｂ）の実線は共鳴器３２を内部空間に設けていない場合の周波数特性を示しており、２８０〜３４０Ｈｚの周波数において励起されているのがわかる。図８（ａ）（ｂ）の破線は共鳴器３２を内部空間に設けた場合の周波数特性を示しており、共鳴器３２が設けられることにより、２８０〜３４０Ｈｚの音圧が低減されている。また、図８（ｃ）は、共鳴器３２を筐体部３の内部空間に設けた場合と設けない場合における２８０〜３４０Ｈｚの音の音圧変化を示した図である。図８（ｃ）において、実線は共鳴器３２を内部空間に設けていない場合の周波数特性を示し、破線は共鳴器３２を内部空間に設けた場合の周波数特性を示している。この図によると、共鳴器３２が設けられることにより、不要な共鳴が抑えられる結果、ピーク位置が前にずれこむので音の立ち上がりが速くなり音がクリアに聞こえるようになっている。
【００２６】
なお、上述した実施形態では、筐体部３の内部空間においてスピーカ３０が設けられている位置より外側の位置であって、特定周波数の固有振動姿態の音圧の腹となる場所に共鳴器３２の開口部３２１が位置するように４つの共鳴器３２が設けられている例を図１〜３にて示した。この例では筐体部３の鍵の配列方向の長さに略等しい波長の固有振動姿態が発生し、音圧を低減させるべき制御対象の周波数の固有振動姿態の音圧のプラスの腹が筐体部３の両端に位置し、また、音圧のマイナスの腹が中央付近に位置するため、そのいずれの腹にも相当する位置に４つの共鳴器３２の開口部（制御点）３２１を設けるように構成した。このように制御対象となる周波数の固有振動姿態の音圧の全ての腹の場所に共鳴器３２の開口部３２１を設けることで、当該周波数の音圧を低減させてもよいが、いずれかの音圧の腹の場所に共鳴器３２の開口部３２１を設けるようにしてもよい。つまり、図２に示す４つの共鳴器３２のうち中央寄りの２つの共鳴器３２ｂを除いてもよいし、中央寄りの２つ共鳴器３２ｂを除いた両端の共鳴器３２ａだけを配置するようにしてもよい。また、図２に示す中央寄りの共鳴器３２ｂのいずれか一方の共鳴器を一つだけ配置するようにしてもよい。つまり、制御対象の周波数の固有振動姿態の音圧の腹の少なくとも一つに、当該周波数で共鳴する共鳴器３２の開口部３２１が位置するように設けられていればよい。このような場合でも共鳴器３２を設けない場合と比べて音圧を低減させる効果を奏する。
以上から分かるように、筐体の諸条件（形状や筐体内の障害物（電源等の電子部品）の配置）によって、音響特性のあばれが生じた場合又は特に強調したい周波数特性を上下させたい場合に、その周波数に応じた位置及び長さの共鳴器を配設することである程度の設計者の意思に沿った音響特性を有する筐体を製作することができるということになる。
【００２７】
＜実施形態２＞
図９は、本実施形態に係る電子鍵盤楽器の斜視図を示している。電子鍵盤楽器１Ａは、鍵盤ユニット２Ａと鍵盤ユニット２Ａを支持する筐体部３Ａとを有する。
鍵盤ユニット２Ａは、水平方向に伸びる板状の口棒部４４と、口棒部４４の両端からそれぞれ背側に伸びる板状の側板４８，４８と、口棒部４４および側板４８，４８によって構成されるコ字状の枠体の底部を覆うように設けられる棚板５３（図１２参照）を有している。側板４８，４８と、口棒部４４と棚板５３によって構成される枠体には、白鍵と黒鍵が配列された鍵盤４１が配置されている。また、鍵盤４１の奥側を覆うと共に、鍵盤蓋４５が回動自在に設けられ、さらに、拍子木部４２には電源スイッチや各種操作スイッチが設けられている。鍵盤４１が見えるように鍵盤蓋４５を開いたときに鍵盤蓋４５の演奏者に見える面には譜面受け４６と蓋前４５１を有し、また、鍵盤蓋４５は、鍵盤蓋４５が演奏者側に回動された状態では鍵盤４１を覆うようになっており、図９に示す状態では鍵盤４１の演奏部位が露出された状態となっている。なお、鍵盤４１の各鍵には、演奏者によって押下された鍵を検出するための検出スイッチ（図示略）が設けられている。検出スイッチは、検出した鍵に応じた操作信号を後述する楽音信号検出回路に出力する。
【００２８】
筐体部３Ａは、鍵盤ユニット２Ａの左右両端部を各々支持する上下方向に伸びる腕木部４３，４３を有している。腕木部４３の後方の側板４８，４８の下端部は、板状の底板５４（図１２参照）によって連結されており、また、側板４８，４８の上端部は、板状の屋根板４７によって連結されている。これら側板４８，４８、屋根板４７の背後側は背面板（図示略）によって覆われている。前板４９は、屋根板４７の上端部から鍵盤の後方部までを覆うように取り付けられ、前板４９の上部には、ＴＥ４９ａ（破線枠）が設けられている。また、棚板５３の底面から底板５４の下端部までを覆うように下前板上５２ａと下前板下５２ｂとが取り付けられている。下前板上５２ａには、スピーカ６０（図１２参照）に対応する位置にスピーカ６０からの楽音を放音する放音孔とサランネット５１ａ，５１ｂがそれぞれ設けられている。また、腕木部４３，４３の底部付近から前脚部５０，５０が演奏者側に突出するように設けられており、この前脚部によって筐体部３Ａが安定して立位するようになっている。また、ペダルユニット４Ａは、各ペダルが演奏者側に突出する状態で、下前板下５２ｂの中央部に収納されている。
上述の構成においては、屋根板４７、側板４８、上前板４９、背面板５５、鍵盤４１、下前板上５２ａ、下前板下５２ｂ、底板５４によって仕切られる空間が構成される。この空間は、実施形態１と同様ほぼ閉空間に近い性質をもつが、ＴＥ４９ａや鍵盤４１の鍵と鍵の隙間などから空気の出入りが可能になっている。
【００２９】
ここで、筐体部３Ａの内部構造について説明する。図１０は、図９に示す電子鍵盤楽器１Ａの正面図であり、図１１は、図１０に示す電子鍵盤楽器１Ａの下前板上５２ａを取り外した状態の図である。図１２は、図１０中の切断線Ｂ−Ｂで切断した場合の電子鍵盤楽器１Ａの断面図である。
【００３０】
図１２に示すように、棚板５３は、前脚部５０、下前板上５２ａ、下前板下５２ｂ、側板４８によって支持されている。棚板５３と背面板５５との間には音響通路空間Ｐが設けられている。筐体部３Ａの内部空間は、棚板５３より上の音響通路空間（以下、上側内部空間Ｓ１と言う）とスピーカ６０ａ，６０ｂが設けられている音響通路空間（以下、下側内部空間Ｓ２と言う）とが、棚板５３と背面板部５５の間の音響通路空間Ｐを介して繋がっている構造となっている。すなわち、筐体部３Ａは、その内部空間として、鍵盤４１が載置される棚板５３で部分的に仕切られた下側内部空間Ｓ２（第１室）と上側内部空間Ｓ１（第２室）とを定義するものである。音響通路空間Ｐは、図１２に示すように、上側内部空間Ｓ１や下側内部空間Ｓ２よりも奥行き方向の幅が狭くなっている。筐体部３Ａの内部空間は、上述の実施形態１で示した筐体部３の構造のように単純な矩形構造に比べて複雑なものとしている。また、図１２に示すように、筐体部３Ａの下前板上５２ａの位置には、スピーカ６０（６０ａ，６０ｂ）が取り付けられたバッフル板６１（６１ａ，６１ｂ）が設けられている。筐体部３Ａの内部空間における棚板５３の下方には、スピーカ６０ａ，６０ｂが鍵の配列方向において空間的に独立して設けられるように、棚板５３の下面から底板５４までを仕切る仕切板７０（７０ａ，７０ｂ）が設けられている（図１１及び図１２参照）。スピーカ６０は放音面が演奏者側を向くように取り付けられており、放音面に対応する位置における下前板上５２ａには放音用の孔６２が設けられている。スピーカ６０から発せられる音は、この孔６２を介して演奏者に伝搬される（第１の放音経路Ｗ１）。また、スピーカ６０の放音面の背後から発せられた音が下側内部空間Ｓ２から狭くなった音響通路空間Ｐを経由して上側内部空間Ｓ１に伝搬し、前板４９に設けられたＴＥ４９ａ及び鍵盤４１における鍵と鍵との隙間から演奏者の側に伝搬される（第２の放音経路Ｗ２）。
【００３１】
また、図１３は、電子鍵盤楽器１Ａの下前板上５２ａ及び下前板下５２ｂと、スピーカ６０が取り付けられたバッフル板６１を取り外した状態を示している。この図に示すように、仕切板７０ａと仕切板７０ｂの間の空間には、楽音信号生成回路や音源回路等の回路基板９０とペダルユニット４Ａとが設置されている。また、下側内部空間Ｓ２に設けられた仕切板７０ａ，７０ｂで仕切られた空間のうち、スピーカ６０ａ，６０ｂが各々設けられているそれぞれの空間（以下、スピーカ設置空間と言う）には、第１共鳴器８０ａ及び第２共鳴器８０ｂとからなる共鳴体８０がそれぞれに設置されている。ここで、図１０中の切断線Ａ−Ａで切断したときの電子鍵盤楽器１Ａの断面図を図１４に示す。この図で示されているように、各共鳴体８０は、スピーカ６０の位置より下側内部空間Ｓ２において外側となる位置に設けられている。
【００３２】
ここで、仕切板７０ａ，７０ｂが設けられる位置について説明する。本実施形態に係る電子鍵盤楽器１Ａの筐体部３Ａの内部空間は、実施形態１に係る電子鍵盤楽器１の筐体部３の内部空間と比べて高さ方向の長さが長くなっている。そのため、筐体部３Ａの内部空間には高さ方向と鍵の配列方向との２次元の固有振動姿態が生じ、スピーカの駆動によって励起される固有振動姿態は実施形態１の場合より多くなる。
【００３３】
図１５（ａ）に示す筐体部３Ａは、仕切板７０が設けられていない状態の筐体部３Ａの内部空間を正面方向から見た簡略図である。この図に示すように、鍵の配列方向に例えば４次の固有振動姿態ＳＷ２が生じている場合、スピーカ６０ａ，６０ｂの位置が固有振動姿態ＳＷ２の音圧の腹の場所となっていると、スピーカ６０が振動しやすくなりその固有振動姿態ＳＷ２が励起されやすくなる。一方、図１５（ｂ）に示すように、スピーカ６０ａ，６０ｂの位置が固有振動姿態ＳＷ２の音圧の節の位置となるように仕切板７０ａ，７０ｂを設けることで、スピーカ６０の振動によって固有振動姿態ＳＷ２は励起されにくくなる。
スピーカ６０が取り付けられる位置は、筐体部３Ａの内部空間に設けられる電子部品や筐体部３Ａの大きさ等によって制約されるため、スピーカの位置を容易に変更することは難しい。そのため、本実施形態に係る筐体部３Ａでは、内部空間に生じる固有振動姿態の音圧の節となる位置を仕切板７０によって調整し、スピーカ６０の振動によって励起される固有振動姿態の数を低減させている。
【００３４】
このように仕切板７０を設けた場合の演奏者位置における聴取音圧周波数特性を図１６に示す。図１６のＲ１に示す部分にピークが発生し、Ｒ２で示す部分にディップが発生している。ピークは、実施形態１と同様、スピーカ６０の振動によって励起された特定の周波数（図５（ｂ）（ｃ）の破線Ｂとなる周波数）である。ディップは、スピーカ６０の振動を抑止する反力によって生じたものと考えられる。つまり、スピーカ６０の放音面より背後の空間において音圧がプラスになるタイミングでスピーカ６０の振動板が内部空間に向けて空気を押そうとしたり、背後の空間の音圧がマイナスになるタイミングで振動板が外部空間に向けて空気を押そうとする反力が働いて振動が抑制されたものと考えられる。
【００３５】
本実施形態に係る筐体部３Ａの各スピーカ設置空間に設けられている共鳴体８０は、図１６に示したピークとディップを抑制するために設けられている。ここで、本実施形態に係る共鳴体８０の構造について図１７を用いて説明する。図１７（ａ）は、共鳴体８０の外観を表す斜視図であり、図１７（ｂ）は、図１７（ａ）に示す共鳴体８０の平面図である。また、図１７（ｃ）は、共鳴体８０の背面図であり、図１７（ｄ）は、共鳴体８０の正面図である。
【００３６】
図１７（ａ）に示すように、共鳴体８０は、円筒形状の第１共鳴器８０ａと第２共鳴器８０ｂとが取付板８１に取り付けられて形成されている。第１共鳴器８０ａと第２共鳴器８０ｂは、実施形態１で説明した共鳴器３２と同様、金属や合成樹脂などの素材を管状となるように形成されており中空領域を有する。また、図１７（ｂ）〜（ｄ）に示すように、第１共鳴器８０ａと第２共鳴器８０ｂは、長手方向の一方の端部が開口された開口部（制御点）８０１ａ，８０１ｂを有し、他方の端部は取付部材８２で塞がれた閉口部８１１ａ，８１１ｂを有する。
【００３７】
第１共鳴器８０ａは、本発明の共鳴体の一例である。第１共鳴器８０ａは、スピーカ６０の振動によって励起される特定の周波数の音圧を低減させる機能、即ち、図１６のＲ１で示したピークを抑制する機能を有する。第１共鳴器８０ａの中空領域の長さは、ピークが発生している周波数の音波の波長の１／４の長さに設計されている。
【００３８】
また、第２共鳴器８０ｂは、本発明の第２の共鳴体の一例である。第２共鳴器８０ｂは、スピーカ６０の振動を抑止する反力を解放する機能、即ち、図１６のＲ２で示したディップを抑制する機能を有する。第２共鳴器８０ｂの中空領域の長さは、ディップが生じている周波数の音波の波長の１／４の長さに設計されている。
【００３９】
各スピーカ設置空間において第１共鳴器８０ａの開口部８０１ａが位置する場所は、実施形態１と同様、ピークが発生している周波数の固有振動姿態の音圧の腹の場所である。また、各スピーカ設置空間において第２共鳴器８０ｂの開口部８０１ｂが位置する場所は、ディップが発生している周波数の音波の波長の略１／４の距離だけスピーカ６０の中心（スピーカのボイスコイルの軸心）から離れた境界面上である。また、第２共鳴器８０ｂの開口部８０１ｂは、ディップが発生している周波数の固有振動姿態の音圧の腹であって、スピーカ６０が取り付けられているバッフル板６１近傍の位置である。第２共鳴器８０ｂの開口部８０１ｂから当該周波数を含む音波が中空領域８０１ｂに入りこむことで第２共鳴器８０ｂが共鳴し、開口部８０１ｂ近傍で当該周波数を中心として音圧が低減され、スピーカ６０の反力が解放される。
また、各スピーカ設置空間において第２共鳴器８０ｂの開口部８０１ｂが位置する場所は、例えば図１６及び図１９Ａにおけるディップが発生している周波数のスピーカ設置空間内の固有振動姿態の音圧の腹の場所であって、第２共鳴器８０ｂがディップが発生している周波数で共鳴することで、ディップが発生している周波数の固有振動姿態の音圧の節がスピーカ６０の中心（スピーカ６０のボイスコイルの軸心上の各位置）の近傍に位置するような位置とすることもできる。ここで、音圧の節が位置するスピーカ６０の中心の近傍は、ディップが発生している周波数の音波の波長λとすると、スピーカ６０の中心からの距離がλ／８以内となる領域が望ましい。このように、ディップが発生している周波数の固有振動姿態の音圧の節が、スピーカ６０の中心からλ／８以内の領域に位置することによっても、スピーカ６０の反力が解放されるのである。
【００４０】
なお、本実施形態に係る電子鍵盤楽器１Ａのように鍵盤４１より上方にＴＥ４９ａが設けられている場合には、第１共鳴器８０ａの開口部８０１ａは、各スピーカ設置空間の横方向（鍵配列方向）において、スピーカ６０の位置より側板４８寄りの位置、つまり、外部空間寄りの位置であって、各スピーカ設置空間の高さ方向の中央近傍に設置することでより効果が高まることを発明者らは実験によって得ている。また、第２共鳴器８０ｂの開口部８０１ｂは、各スピーカ設置空間の底部側、つまり、図１８に示す下側内部空間Ｓ２のように、スピーカ６０の中心から距離ｌ（スピーカ６０の振動に対する反力が生じる周波数の音波の波長の略１／４の距離）だけ離れた下方の境界面上の位置に設置することが望ましいことを発明者らは実験によって得ている。ＴＥ４９ａの設ける位置等によって、筐体部３Ａ内の固有振動姿態が変わるため、第１共鳴器８０ａ及び第２共鳴器８０ｂの開口部の位置は、ＴＥ４９ａの設け方に応じて実験等により調整することが望ましい。
【００４１】
図１９Ａに示す周波数特性は、図１９Ｂの（Ａ）で示すように下側内部空間Ｓ２の各スピーカ設置空間に上記第１共鳴器８０ａだけを設置した場合（波形Ａ）、図１９Ｂの（Ｂ）で示すように下側内部空間Ｓ２の各スピーカ設置空間に上記第共鳴器８０ｂだけを設置した場合（波形Ｂ）、図１９Ｂの（Ｃ）で示すように下側内部空間Ｓ２の各スピーカ設置空間に上記第１共鳴器８０ａ及び上記第２共鳴器８０ｂを設置した場合（波形Ｃ）について発明者らが測定した結果と、図１９Ｂの（Ｄ）で示すように下側内部空間Ｓ２の各スピーカ設置空間に上記第１共鳴器８０ａ及び上記第２共鳴器８０ｂを設置しない場合（波形Ｄ：図１６と同様）の周波数特性とを示しており、図１６中のＲ１及びＲ２を含む部分を拡大したものである。
【００４２】
図１９Ａに示すように、ディップが生じている部分については、上記第２共鳴器８０ｂだけを設置した波形Ｂで示されているように、共鳴体８０を入れない場合と比べてスピーカ６０ａ，６０ｂの振動を抑止する反力が解放されてディップが生じていた周波数の音波の音圧が上がっている。また、ピークが生じている部分については、上記第１共鳴器８０ａだけを設置した波形Ａで示されているように、共鳴体８０を設置しない場合と比べて励起されていた周波数の音圧が低減されている。そして、波形Ｃで示されているように、上記第１共鳴器８０ａ及び第２共鳴器８０ｂを設置した場合には、波形Ｂよりもディップの部分の音圧が上がり、波形Ａよりもピークの部分の音圧が低減されており、第１共鳴器８０ａと第２共鳴器８０ｂとを設置することでより効果が高まっている。
【００４３】
本実施形態に係る電子鍵盤楽器１Ａのように、２次元の固有振動姿態が生じうる筐体部３Ａの場合、スピーカ６０の位置が固有振動姿態の音圧の節となるように仕切板７０を設けることで、スピーカ６０の振動によって励起される固有振動姿態を低減させることができる。また、共鳴体８０を各スピーカ設置空間に設けることで、励起されている周波数で共鳴する第１共鳴器８０ａによって当該周波数の音圧を低減させることができ、スピーカ６０の振動を抑止する反力を生じさせている周波数で共鳴する第２共鳴器８０ｂによって当該反力を解放して当該周波数の音圧を上げることができる。
【００４４】
また、上述した実施形態では、スピーカ６０の振動に対する反力を生じさせる周波数で共鳴する第２共鳴器８０ｂの開口部８０１ｂを、スピーカ６０の中心から当該周波数の音波の波長の１／４だけ下方に離れた位置に設けてディップを低減させる例を説明したが、ディップが発生している原因として、ＴＥ４９ａ付近において、ディップが発生している周波数の固有振動姿態の音圧が節となっている状況が考えられる。即ち、ディップが発生している周波数の固有振動姿態はスピーカ６０の振動によって励起されているものの、ＴＥ４９ａ付近での音圧が弱くなり、ＴＥ４９ａから放射された音量が小さくなっている。従って、このような場合には、ＴＥ４９ａ付近がディップが生じている周波数の固有振動姿態の音圧の腹となるように、筐体部３Ａの内部空間における当該固有振動姿態の節の位置に当該周波数で共鳴する第２共鳴器８０ｂの開口部を設けるようにすればよい。このように構成することで、第２共鳴器８０ｂの開口部８０１ｂによって当該固有振動姿態の節の位置が強制的に生み出され、ＴＥ４９ａ付近の音圧が腹に制御され、ディップが生じている周波数の音圧を上げることができる。この場合、第２共鳴器８０ｂは本発明に係る第３の共鳴体として機能する。
【００４５】
＜実施形態３＞
図２０は、本実施形態に係る電子鍵盤楽器の斜視図を示している。電子鍵盤楽器５０１Ａは、鍵盤ユニット５０２Ａと鍵盤ユニット５０２Ａを支持する筐体部５０３Ａを有する（図２２参照）。
鍵盤ユニット５０２Ａは、水平方向に延びる板状の口棒部５４４と、口棒部５４４の両端からそれぞれ背側に延びる板状の側板５４８、５４８と、口棒部５４４及び側板５４８、５４８によって構成されるコの字状の枠体の底部を覆うように設けられる棚板５５３（鍵支持部材）を有している。側板５４８、５４８と、口棒部５４４と棚板５５３によって構成される枠体には、白鍵と黒鍵が配列された鍵盤５４１が配置されている。また、鍵盤５４１の奥側を覆うと共に、鍵盤蓋５４５が回転自在にもうけられ、さらに、拍子木部５４２には電源スイッチや各種操作スイッチが設けられている。鍵盤５４１が見えるように鍵盤蓋５４５を開いたときに鍵盤蓋５４５の演奏者に見える面には譜面受け５４６と蓋前５５１を有し、また、鍵盤蓋５４５が演奏者側に回動された状態では鍵盤５４１を覆うようになっており、図２０に示す状態では鍵盤５４１の演奏部位が露出された状態となっている。なお、鍵盤５４１の各鍵には、演奏者によって押下された鍵を検出するための検出スイッチ（図示略）が設けられている。検出スイッチは、検出した鍵に応じた操作信号を後述の楽音信号検出回路５３４に出力する。
【００４６】
筐体部５０３Ａは、鍵盤ユニット５０２Ａの左右両側部を各々支持する上下方向に延びる腕木部５４３、５４３を有している。腕木部５４３の後方の側板５４８、５４８の下端部は、板状の底板５４７（図２２参照）によって連結されており、また、側板５４８、５４８の上端部は、板状の屋根板５４７によって連結されている。これら側板５４８、５４８、屋根板５４７の背後側は背面板（図示略）によって覆われている。前板５４９は、屋根板５４７の上端部から鍵盤の後方部までを覆うように取り付けられている。また、棚板５５３は、前脚部５５０、５５０によって下方から支持されている。なお、楽音信号検出回路５３４は、筐体部５０３Ａの内部に配設されている。
棚板５５３の下には、スピーカボックス５８０が設置されている。スピーカボックス５８０は、左右の側板５４８、５４８に固定され、スピーカボックス５８０の前板５８１が側板５４８の前端部から前方に突出しないように設置されている。スピーカボックス５８０の内部空間５８２は、仕切板５７０によって左右方向において２つに仕切られ、それぞれが内部空間５８２ａ、５８２ｂとされている（図２３参照）。スピーカボックス５８０の内部空間５８２ａ、５８２ｂには、後述のスピーカ５６０ａ、５６０ｂの背面部がそれぞれ位置している。また、前板５８１には、スピーカ５６０に対応する位置にスピーカ５６０からの楽音を放音する放音孔とサランネット５５１ａ、５５１ｂがそれぞれ設けられている。前板５８１のサランネット５５１ａ、５５１ｂが配設された部分よりも上方には、ＴＥ５８１ａが設けられている。スピーカボックス５８０の内部空間５８２ａは、ほぼ閉空間に近い性質を持つが、ＴＥ５８１ａを介して外部との間で空気の出入りが可能とされている。従って、スピーカ５６０の放音面の背後から発せられた音は、内部空間５８２ａを経由しＴＥ５８１ａを通って外部に導かれる。スピーカボックス５８０の下方には、下前板５５２ｂが設けられている。下前板５５２ｂは、スピーカボックス５８０の前板５８１と略同一面となるように下方に延出している。
また、腕木部５４３、５４３の底部付近から前脚部５５０、５５０が演奏者側に突出するように設けられており、この前脚部によって筐体部５０３Ａが安定して立位するようになっている。また、ペダルユニット５０４Ａは、各ペダルが演奏者側に突出する状態で、下前板５５２ｂの中央部に収納されている。
【００４７】
ここで、筐体部５０３Ａの内部構造について説明する。図２１は、図２０に示す電子鍵盤楽器５０１Ａの正面図であり、図２２は、図２１中の切断線XXII-XXIIで切断した場合の電子鍵盤楽器５０１Ａの断面図である。
【００４８】
スピーカ５６０は、放音面が演奏者側を向くように取り付けられており、放音面に対応する位置における前板５８１には放音用の孔５６２が設けられている。スピーカ５６０から発せられる音は、この孔５６２を通って演奏者に伝搬される（第３の放音経路Ｗ３）。また、スピーカ５６０の背後から発せられた音がスピーカボックス５８０の内部空間５８２ａを経由して前板５８１に設けられたＴＥ５８１ａを通って演奏者の側に伝搬される（第４の放音経路Ｗ４）。
【００４９】
また、図２３は、スピーカボックス５８０の内部空間５８２内のスピーカ５６０の位置と共鳴体５９０の配設位置を説明するための図である。共鳴体５９０は、円筒形状の第３共鳴器５９０ａ（第２の共鳴体の一例）と第４共鳴器５９０ｂ（第２の共鳴体の一例）より構成され、それぞれ、スピーカボックス５８０の壁に固定されて内部空間５８２ａ、５８２ｂ内に設置されている。また、第３共鳴器５９０ａと第４共鳴器５９０ｂは、長手方向の一方の端部が開口された開口部５９１ａ、５９１ｂ（開放端部）を有し、他方の端部が閉口された閉口部５９２ａ、５９２ｂ（閉端部）をそれぞれ有している。
【００５０】
第３共鳴器５９０ａは、スピーカ５６０の振動によって励起される特定の周波数の音圧を低減させる機能、即ち、図１６のＲ２で示したディップを抑制する機能を有する。第３共鳴器５９０ａの中空領域の長さは、ディップが生じている周波数の音波の波長の１／４の長さに設計されている。
【００５１】
第４共鳴器５９０ｂは、スピーカ５６０の振動によって励起される特定の周波数の音圧を低減させる機能、即ち、図１６のＲ２で示したディップを抑制する機能を有する。第４共鳴器５９０ｂの中空領域の長さは、ディップが生じている周波数の音波の波長の１／４の長さに設計されている。
【００５２】
各スピーカ５６０が設置される内部空間５８２において、第３共鳴器５９０ａの開口部５９１ａが位置する場所は、ディップが発生している周波数の固有振動姿態の音圧の腹の位置であり、第４共鳴器５９０ｂの開口部５９１ｂが位置する場所は、ディップが発生している周波数の固有振動姿態の音圧の腹の位置である。第３共鳴器５９０ａ及び第４共鳴器５９０ｂの開口部５９１ａ、５９１ｂからディップが発生している周波数を含む音波が中空領域に入り込むことにより、第３共鳴器５９０ａ及び第４共鳴器５９０ｂが共鳴し、開口部５９１ａ、５９１ｂ近傍で当該周波数を中心として音圧が低減され、スピーカ５６０の反力が解放される。これを図２４を用いて説明する。図２４Ａは、内部空間５８２に共鳴体５９０を配設していない場合のディップが発生している周波数の固有振動姿態の音圧の様子を示すものであり、図２４Ｂは、内部空間５８２に共鳴体５９０を配設した場合のディップが発生している周波数の固有振動姿態の音圧の様子を示すものである。図２４Ａに示すように、ディップが発生している周波数ｆｄの固有振動姿態の音圧の腹がスピーカ５６０ａ及び５６０ｂ近傍に存在するとき、図１６のＲ２で示すようなディップが発生していると考えられる。このようなスピーカボックス５８０の内部空間５８２に共鳴体５９０を配設した場合、開口部５９１を周波数ｆｄの固有振動姿態の音圧の腹に位置させることにより、共鳴体５９０が共鳴し、当該周波数ｆｄの音圧が低減され、スピーカ５６０の反力が解放され、当該周波数ｆｄのディップが抑制されるのである。詳述すると、図２４Ｂにおいて、各スピーカ設置空間において第３共鳴器５９０ａ及び第４共鳴器５９０ｂの開口部５９１ａ及び５９１ｂが置かれる場所は、例えば、図１６又は図１９Ａにおけるディップが発生している周波数ｆｄでのスピーカボックス内の固有振動姿態の腹の場所であって、第３共鳴器５９０ａ及び第４共鳴器５９０ｂが当該周波数ｆｄで共鳴することで、その周波数ｆｄの固有振動姿態の音波の大きさＳｉが小さくなるような位置である。
【００５３】
また、図２４Ｃに示すように、各スピーカ設置空間において第３共鳴器５９０ａ及び第４共鳴器５９０ｂの開口部５９１ａ及び５９１ｂが位置する場所は、周波数ｆｄの固有振動姿態の音圧の腹の場所であって、第３共鳴器５９０ａ及び第４共鳴器５９０ｂが当該周波数ｆｄで共鳴することで、その周波数ｆｄの固有振動姿態の音圧の節がスピーカ５６０ａ及び５６０ｂの中心Ｐｓ（スピーカボイスコイルの軸心上の各位置）の近傍に位置するような位置とすることもできる。ここで、音圧の節が位置するスピーカ５６０の中心Ｐｓの近傍は、スピーカ５６０の中心Ｐｓからの距離がλ／８（λは周波数ｆｄの固有振動姿態の音波の波長）以下となる領域が望ましい。このように、音圧の節がスピーカ５６０の中心Ｐｓからλ／８以内に領域に位置することによっても、スピーカ５６０の反力が解放されることとなる。これによれば、図２４Ａのように、スピーカ５６０の中心位置Ｐｓに周波数ｆｄの固有振動姿態の音波の腹が存在する場合、共鳴器５９０の開口部５９１ａ及び５９１ｂは、周波数ｆｄの固有振動姿態の音波の腹の位置であって、中心Ｐｓからの距離がλ／８の未満となるようにそれぞれ配置されるのである。
【００５４】
さらに、説明を続ける。図２４Ａは、第３共鳴器５９０ａ及び第４共鳴器５９０ｂがスピーカボックス内に存在しない場合の、スピーカボックス内に発生している定在波の状態を表している。図２４Ｃは、図２４Ａのように定在波がスピーカボックスに存在している状態に対し、第３共鳴器５９０ａ及び第４共鳴器５９０ｂの開口部５９１ａ及び５９１ｂをスピーカ５６０ａ及び５６０ｂの中心Ｐｓの近傍に置いたことにより定在波の固有振動姿態（モード）が変化し、スピーカ５６０ａ及び５６０ｂの中心Ｐｓの位置が定在波の節の位置になるように、定在波の固有振動姿態が変化した状態を表している。定在波がこのような固有振動姿態となる位置に第３共鳴器５９０ａ及び第４共鳴器５９０ｂを置くと、スピーカ５６０の振動膜が振動し易くなり、図１６及び図１９Ａに示されるディップが小さくなるという作用が起こり得る。図２４Ａのように、スピーカ５６０の中心位置Ｐｓに周波数ｆｄの固有振動姿態の音波の腹が存在する場合、第３共鳴器５９０ａ及び第４共鳴器５９０ｂの位置とスピーカ５６０ａ及び５６０ｂの中心Ｐｓとの位置の乖離がλ／８までなら、上記作用が実用的に起こり得ると考えられるため、スピーカ５６０の中心Ｐｓからλ／８の範囲内に共鳴器５９０の開口部５９１を配置させることが望ましいのである。
【００５５】
また、本実施形態の変形例として、図２５Ｂに示すような位置に共鳴体５９０を配置させることも可能である。即ち、共鳴体５９０は、図２５Ａに示すように、共鳴体５９０を配設していない場合のディップが発生している周波数の固有振動姿態の音圧の腹の位置であって、スピーカ５６０ａ及び５６０ｂの中心Ｐｓから離れた位置に、第３共鳴器５９０ａ及び第４共鳴器５９０ｂの開口部５９１ａ及び５９１ｂを配設させることにより、図２５Ｂに示すように、ディップが発生している周波数の固有振動姿態の音波の大きさＳｉを小さくし、ディップの発生を抑制することができるのである。
また、図２５Ｃに示すように、ディップが発生している周波数の固有振動の音圧の腹の位置であって、スピーカ５６０ａ及び５６０ｂの中心Ｐｓから離れた位置に、その開口部５９１ａ及び５９１ｂを配設させることにより、図２５Ｃに示すように、ディップが発生している周波数の固有振動姿態の節をスピーカ５６０ａ及び５６０ｂの中心Ｐｓ近傍に位置させ、ディップの発生を抑制しても良い。
【００５６】
＜変形例＞
以下、上述した実施形態の変形例について説明する。
（１）上述した実施形態１に係る筐体部３の内部空間では共鳴器３２を４つ設置する例を説明したが、以下のように構成してもよい。図２６は、筐体部３の内部空間を上面から見た簡略図である。図２６（ａ）に示すように共鳴器３２を設けず、スピーカ３０ａ，３０ｂの位置が内部空間における固有振動姿態の音圧の節となるように、スピーカ３０ａとスピーカ３０ｂの間に仕切板７０を設けるようにしてもよい。また、図２６（ｂ）に示すように、図２６（ａ）と同様に仕切板７０を設けると共に、仕切板７０によって仕切られた各空間に、当該空間における固有振動姿態の音圧の腹の場所に共鳴器３２ａの開口部３２１が位置するように共鳴器３２ａを配置するようにしてもよい。
【００５７】
（２）上述した実施形態２に係る筐体部３Ａの内部空間に設けられる第１共鳴器８０ａ、第２共鳴器８０ｂの配置は実施形態２で説明した態様に限られず、以下のような態様であってもよい。図２７は、本変形例に係る筐体部３Ａの下側内部空間を正面から見た簡略図である。図２７（ａ）は、仕切板７０を設けず、２つの第１共鳴器８０ａと２つの第２共鳴器８０ｂの各組を、スピーカ６０ａとスピーカ６０ｂの上部及び下部の所定位置に設けたものである。スピーカ６０ａの側に設けられた第１共鳴器８０ａの開口部８０１ａと第２共鳴器８０ｂの開口部８０１ｂは、矢印Ｌ方向に向けられている。また、スピーカ６０ｂの側に設けられた第１共鳴器８０ａの開口部８０１ａと第２共鳴器８０ｂの開口部８０１ｂは、矢印Ｒ方向に向けられている。なお、実施形態２と同様、各第１共鳴器８０ａの開口部８０１ａの位置は、励起されている周波数の固有振動姿態の音圧の腹の場所であり、各第２共鳴器８０ｂの開口部８０１ｂの位置は、スピーカ６０ａ，６０ｂの各重心位置からスピーカ６０ａ、６０ｂの振動を抑止する反力を生じさせる周波数の波長の１／４の距離だけ離れた境界面上である。
【００５８】
また、図２７（ａ）で示した第１共鳴器８０ａ及び第２共鳴器８０ｂの配置において、図２７（ｂ）や（ｃ）に示すように仕切板を設けるようにしてもよい。図２７（ｂ）の場合、仕切板７０を一つだけ設ける構成となっている。この場合には、例えば、スピーカ６０ａの位置が固有振動姿態の音圧の節となるように仕切板７０を設けるようにしてもよい。つまり、少なくとも一つのスピーカの位置が固有振動姿態の音圧の節となるように仕切板７０を設けることにより当該スピーカの振動によって励起される固有振動姿態の数を低減させるようにしてもよい。
【００５９】
また、図２７（ｄ）に示すように、図２７（ｃ）で示した配置において、仕切板７０ａ及び７０ｂの間に共鳴器８０ｃ，８０ｄを設けるようにしてもよい。共鳴器８０ｃ，８０ｄは、第１共鳴器８０ａ及び第２共鳴器８０ｂと同様、開口部と中空領域を有する。共鳴器８０ｃの開口部は下方に向けて配置され、共鳴器８０ｄの開口部は上方に向けて配置されている。共鳴器８０ｃは、第２共鳴器８０ｂと同様の周波数で共鳴するものでもよいし、共鳴器８０ｄは、第１共鳴器８０ａと同様の周波数で共鳴するものでもよい。また、共鳴器８０ｃ及び共鳴器８０ｄは、他の周波数で共鳴するものであってもよい。
【００６０】
（３）上述した実施形態に係る電子鍵盤楽器の筐体部は、図２８に示すような形状であってもよい。図２８（ａ）に示す筐体部３Ｂのような直方体形状や、図２８（ｂ）に示す筐体部３Ｃのように上面及び底面が多角形の形状を有するものなど、実施形態１と同様、筐体部の内部空間において鍵の配列方向に１次元の固有振動姿態が生じるような筐体の形状であってもよい。この場合には、スピーカ３０の放音面が筐体部の底面方向又は上面方向に向くようにスピーカ３０を配置してもよい。また、図２８（ｃ）に示す筐体部３Ｄのような直方体形状であってもよい。つまり、実施形態２と同様、高さ方向及び鍵の配列方向に２次元の固有振動姿態が生じるような形状であれば実施形態２以外の形状であってもよい。この場合には、スピーカ６０の放音面が演奏者側又は背面側に向くように配置してもよい。
【００６１】
（４）上述した各実施形態では、管形状の共鳴器を用いる例を説明したが、板振動共鳴、ヘルムホルツ共鳴、屈曲板振動、ピストン板振動等の各種共鳴体を用いてもよい。要は、共鳴体は、電子鍵盤楽器の筐体部の内部空間における音場との連成を考慮して設計された共鳴器であり、筐体部の内部空間における音響エネルギーを制御するものであればよい。以下に共鳴体の具体例を示す。
【００６２】
図２９（ａ）は、板振動共鳴体の外観を模式的に表した図である。図２９（ｂ）は、図２９（ａ）中の矢視VI−VIから板振動共鳴体１１０を見た断面図である。板振動共鳴体１１０は、筐体部１１０Ａと振動部１１０Ｂとからなる。筐体部１１０Ａは、上面側の全体が開口する直方体の箱状の部材である。筐体部１１０Ａは、開口部１１０Ｃと、開口部１１０Ｃに通じる中空領域として、直方体の気体層１１０Ｄとを有している。筐体部１１０Ａは、例えば木材で形成されるが、振動部１１０Ｂよりも相対的に硬い素材であれば、例えば合成樹脂や金属など他の素材を用いてもよい。振動部１１０Ｂは、弾性を有し、板状又は膜状に形成された矩形の部材である。振動部１１０Ｄには、例えば合成樹脂、金属、繊維板、独立気泡発砲体などの弾性を有し弾性振動を生じる素材を板状に形成したもの、又は弾性を有する素材や高分子化合物を膜状に形成したものが用いられる。振動部１１０Ｂは、その一方の面の端部付近の領域が筐体部１１０Ａによって支持されており、筐体部１１０Ａの開口部１１０Ｃを塞ぐようにして設けられている。開口部１１０Ｃが振動部１１０Ｄで塞がれることにより、板振動共鳴体１１０の内部に閉じた気体層１１０Ｄが形成される。なお、気体層１１０Ｄは、気体粒子からなる層であり、この例では空気分子からなる空気層であるが、多孔質材料等の弾性体が気体層１１０Ｄに設けられていてもよい。板振動共鳴体１１０は、対象とする周波数の音波の音圧の腹の場所に振動部１１０Ｂが位置するように設ける。空間に音が発生すると、その音の音圧に応じて板振動共鳴体１１０は共鳴する。この共鳴により、空間の音圧と、板振動共鳴体１１０の気体層１１０Ｄ内の圧力とに差が生じる。この圧力差により振動部１１０Ｂが振動して、音響エネルギーが消費された後に、音響エネルギーが再放射される。この作用により、板振動共鳴体１１０の表面であり、振動部１１０Ｂ面近傍の空間で音圧が低減される。
【００６３】
図３０（ａ）は、ヘルムホルツ共鳴体の外観を模式的に表した図であり、図３０（ｂ）は、図３０（ａ）中の矢視VIII−VIIIからヘルムホルツ共鳴体１２０を見た断面図である。ヘルムホルツ共鳴体１２０は、胴部１２０Ａと管部１２０Ｂとによって構成されている。このヘルムホルツ共鳴体１２０において、胴部１２０Ａ及び管部１２０Ｂ内に形成される空間が中空領域となり、この中空領域が開口部１２０Ｃに通じている。
胴部１２０Ａは、内部に気体層が形成され、例えばＦＲＰ（繊維強化プラスチック）によって円筒状に形成されている。管部１２０Ｂは、例えば塩化ビニール製のいわゆる両端開口の管状部材を成しており、胴部１２０Ａの孔部に挿入されて両者は連結されている。ヘルムホルツ共鳴体１２０は、対象とする周波数の音波の音圧の腹の場所に開口部１２０Ｃが位置するように設ける。これにより、開口部１２０Ｃに音が入り込んでヘルムホルツ共鳴体１２０は共鳴し、開口部１２０Ｃ付近の音圧を低減させる。つまり、ヘルムホルツ共鳴体１２０は、管部１２０Ｂの内部にある気体を質量成分とし、胴部１２０Ａの気体層をバネ成分としたバネマス系を形成する。管部１２０Ｂの内壁と空気との摩擦によって音のエネルギーが熱エネルギーに変換されて開口部１２０Ｃ付近で音圧を低減させ、また粒子速度を増大させる。なお、ヘルムホルツ共鳴体１２０のバネマス系の共鳴周波数ｆは、式（２）の関係を満たす。ただし、式（２）において、Ｌeは管部１２０Ｂの有効長を表す。図３０（ｂ）に示すように、有効長Ｌeは、管部１２０Ｂの空洞の一端から他端までの長さを、開口端補正値で補正した長さである。また、Ｖは胴部１２０Ａ内に形成された気体層の体積（すなわち容積）であり、Ｓoは開口部３３の面積である。
ｆ＝ｃ0／２π・（Ｓo／Ｌe・Ｖ）1/2  ・・・（２）
なお、管部１２０Ｂの数をここでは１本としているが、複数設けるようにしても良い。また、管部１２０Ｂの開口部１２０Ｃ又はその近傍には、グラスウール、クロス、ガーゼ等の通気性を有し、流れ抵抗を有している流れ抵抗材で塞がれていてもよい。
【００６４】
図３１は、本変形例に係る共鳴体を示す図である。図３１（ａ）は、本変形例の共鳴体の外観を示す図である。共鳴体１３０の外観は、一方（図中左側）の端部で開口しており、他方（図中右側）の端部で閉じた管状を成している。共鳴体１３０の構成は、管状部材１３０Ａと、抵抗材１３０Ｂとに大別される。管状部材１３０Ａは、本発明の筐体の一例であり、材料として例えば金属やプラスチックを用いて円筒状に形成されている。管状部材１３０Ａは、いわゆる一端開口の管状部材であり、ここでは１方向に延在している。抵抗材１３０Ｂは、円柱の両底面の中心付近を貫通するようにして、円柱状の空洞が開けられた形状の部材である。抵抗材１３０Ｂは、管状部材１３０Ａの開口する端部付近において、円柱の外周面に相当する面が管状部材１３０Ａの内側の面と接するように設けられている。抵抗材１３０Ｂは、材料として多孔質材の一例であるウレタンフォームを用いて形成され、気体粒子（ここでは、空気分子）の運動に対して抵抗となって、その気体粒子の運動を阻害する部材である。抵抗材１３０Ｂが配置される領域は、抵抗材１３０Ｂが配置されないときに比べて、気体粒子の運動に対する抵抗が増大する。また、この抵抗の抵抗値を定量的に表す物理量として、媒質の特性インピーダンスがある。
【００６５】
図３１（ｂ）は、図３１（ａ）中の切断線II-IIで共鳴体１３０を切断したときの断面を表す図である。つまり、図３１（ｂ）は、管状部材１３０Ａの延在方向に沿って、後述するｘ軸を含む平面で音響共鳴体１０を切断した場合の断面図である。図３１（ｃ）及び（ｄ）は、管状部材１３０Ａの延在方向に直交する平面で共鳴体１３０を切断した場合の断面を表す図である。なお、共鳴体１３０の延在方向に対して抵抗材１３０Ｂが設けられている各位置を切断した場合に、管状部材１３０Ａの断面形状はそれぞれ同一の形状で、
且つ同一の寸法である。また、抵抗材１３０Ｂの断面形状もそれぞれ同一の形状で、且つ同一の寸法である。管状部材１３０Ａは、一端に円形の開口端１３１を有し、他端にこれと同じ円形の閉口端１３２を有している。閉口端１３２は音響的に完全反射面（つまり、剛壁）と同じ振る舞いをするものとみなす。管状部材１３０Ａの内部には、開口端１３１と閉口端１３２との間で延在する、円柱状の中空領域１３０Ｃが構成されている。中空領域１３０Ｃは、開口端１３１を介して外部空間に通じている。ここで、開口端１３１と閉口端１３２との間の距離である、中空領域１３０Ｃの両端間の長さをＬとする。そして、
中空領域１３０Ｃの延在方向に直交する断面の中心どうしを結ぶ線を「中心軸ｘ」（一点鎖線で図示。）と定める。なお、管状部材１３０Ａの開口端１３１の直径は、共鳴体１３０の共鳴周波数の波長よりも十分に短い（例えば、１／２以下）。これにより、管状部材１３０Ａ単体である場合、中空領域１３０Ｃに進む音波は、中心軸ｘに沿った方向に進む平面波のみとみなすことができる。よって、中空領域１３０Ｃにおいて、中心軸ｘに沿った方向に対する位置が同じ領域、すなわち中心軸ｘに直交する断面に含まれる領域では、実質的に音圧が一様に分布する。抵抗材１３０Ｂは、開口端１３１の位置を一端として、
中空領域１３０Ｃに設けられている。ここでは、抵抗材１３０Ｂは中心軸ｘ方向に沿って長手方向を有している。この長手方向に対する抵抗材１３０Ｂの長さであり、開口端１３１に位置する一端から他端までの距離をｌ0と定める。抵抗材１３０Ｂは、円筒の長さ方向に相当する方向に貫く空洞を有しているから、管状部材１３０Ａの開口端１３１と閉口端１３２とは、この空洞を介して通じている。この空洞は、ここでは、気体粒子の運動に対する抵抗を増大させる部材が設けられていない領域である。共鳴体１３０の共鳴周波数は、抵抗材１３０Ｂの長さｌ0が大きいほど、つまり、中空領域１３０Ｃの長さＬ−ｌ0が小さくなるほど、より低周波数側にシフトする。
【００６６】
（５）また、共鳴体において当該共鳴体の共鳴周波数を調整するための調整機構が設けられていてもよい。電子鍵盤楽器における筐体部に設ける共鳴体として、共鳴周波数を調整する調整機構が設けられた共鳴体を用いることで、複数の異なる周波数の固有振動姿態の音圧を低減させる場合でも、調整機構によって共鳴周波数を調整すればよいため形状や大きさが共通の共鳴体を用いることができる。以下、このような調整機構の例について説明する。
【００６７】
（ａ）例えば、上述した実施形態１や実施形態２のような管形状の共鳴体の場合、共鳴体の中空領域の長さを調整する調整機構の一例として、ウレタンフォームなどの多孔質材を用いて形成され、気体粒子（ここでは、空気分子）の運動に対して抵抗となって、その気体粒子の運動を阻害する部材を共鳴体の中空領域の閉口部に接着することで中空領域の長さを変えるようにしてもよい。中空領域の長さを長くするほど共鳴周波数が低周波数側にシフトされる。
【００６８】
（ｂ）また、調整機構の一例として、例えば図３２（ａ）に示すように、実施形態２と同様の円筒形の共鳴体２００において、閉口部２１０の位置を調整することで中空領域２１１の長さを調整する円柱形状の部材２１２を設けるようにしてもよい。この場合には、部材２１２は、中空領域２１１の内周径と同じ外周径を有し、共鳴体２００の部材２１２が挿入される面には部材２１２の外周と同じ大きさの孔が設けられている。また、中空領域２１１の内周と円柱の部材２１２の外周にはネジ山とネジ溝が各々設けられ、ネジ山とネジ溝の締結によって部材２１２が中空領域２１１に嵌合される。部材２１２を共鳴体２００に対して回転させることにより中空領域の長さＬが調整される。中空領域２１１の長さＬが長くなるほど共鳴周波数が低周波数側にシフトされる。
【００６９】
（ｃ）また、調整機構の一例として、例えば図３２（ｂ１）に示すように、実施形態２と同様、一端が開口され他端が閉口されている円筒形の共鳴体３１０は、可撓性素材を蛇腹状に形成した側面３１１を有し、閉口部３１２を上に動かすことで図３３（ｂ２）に示すように中空領域３１３の長さＬが長くなる。中空領域３１３の長さＬが長くなるほど共鳴周波数が低周波数側にシフトされる。
【００７０】
（ｄ）また、調整機構の一例として、例えば実施形態１に係る共鳴体の閉口部側の面を開口し、閉口部側の外周面にネジ山を設けた管部における中空領域の長さを、当該ネジ山と嵌合するネジ溝を有し、閉口部側の面を塞ぐ蓋部材によって調整するようにしてもよい。図３２（ｃ１）は上記した管部３２０Ａの断面を示す図である。管部３２０Ａは、長さＬの中空領域を有し、開口部３２１と閉口部側となる開口部３２３Ａとを有する。管部３２０Ａの閉口部側の外周面には所定の長さだけネジ山が設けられている。図３２（ｃ２）（ｃ３）は上記蓋部材の例を示す図である。図３２（ｃ２）（ｃ３）に示すように、蓋部材３２０Ｂ及び３２０Ｃには、管部３２０Ａのネジ山と嵌合するネジ溝が設けられると共に、管部３２０Ａの中空領域の径ｄ（管部３２０Ａの軸心から管部３２０Ａの内周までの距離×２）よりやや小さい径を有する突起部３２４が設けられている。蓋部材３２０Ｂと蓋部材３２０Ｃの突起部３２４の長さはｌ１、ｌ２（ｌ１＞ｌ２）と異ならせている。
蓋部材３２０Ｂ及び３２０Ｃの突起部３２４を管部３２０Ａの閉口部側の開口部３２３Ａに嵌めこむことで、管部３２０Ａの閉口部側が塞がれて閉口部が形成される。例えば、蓋部材３２０Ｂを突起部３２４の長さｌ１だけ管部３２０Ａに嵌めこんだ場合には、管部３２０Ａの中空領域の長さは（Ｌ-ｌ１）となる。また、蓋部材３２０Ｃを突起部３２４の長さｌ２だけ管部３２０Ａに嵌めこんだ場合には、管部３２０Ａの中空領域の長さは（Ｌ-ｌ２）となり、蓋部材３２０Ｂを管部３２０Ａに嵌めこむ場合より中空領域の長さが長くなる。このように、突起部３２４の長さが異なる複数の蓋部材によって管部３２０Ａの中空領域の長さを調整することで、共鳴体の共鳴周波数を調整することができる。また、各蓋部材の突起部を管部３２０Ａに嵌めこむ長さを変えることで管部３２０Ａの中空領域の長さを調整してもよい。また、図３２（ｃ２）（ｃ３）に示した蓋部材３２０Ｂ及び３２０Ｃを各々突起部３２４の長さだけ管部３２０Ａに嵌めこんだ状態においては、共鳴体の長手方向の長さが見かけ上は同じ長さとなる。そのため、筐体部３の内部空間に共鳴体や電子部品等を配置する際に無駄なスペースを減らすことができる。
【００７１】
（ｅ）上述した（ａ）〜（ｄ）の変形例では、管状の共鳴体の中空領域の長さを調整することで、共鳴体の共鳴周波数を調整する例を説明したが、管状の共鳴体の中空領域の長さを変えずに中空領域の体積を調整して共鳴周波数を調整してもよい。図３２（ｄ１）は、本変形例に係る共鳴体の断面を示す図である。図３２（ｄ１）に示すように、共鳴体３３０は、一端が開口され他端が閉口された中空領域Ｐ１を有する管形状で構成されている。共鳴体３３０の側面の一部には直径ｄ１を有する開口部３３１が設けられており、この図においては、部材３３１Ａによって開口部３３１が塞がれている。この開口部３３１を塞ぐ部材３３１Ａは着脱可能に構成されており、共鳴体３３０の共鳴周波数を調整する場合には、図３２（ｄ２）に示すように、この部材３３１Ａの代わりに、外周面にネジ山が設けられ両端が開口された管状部材３３２を開口部３３１の端部に接着し、図３２（ｃ２）（ｃ３）で示した形状と同様の形状を有し、管状部材３３２のネジ山と嵌合するネジ溝を有する蓋部材３３３を管状部材３３２に連結させる。蓋部材３３３が管状部材３３２に連結された状態において、中空領域Ｐ１と繋がる開口部３３１から蓋部材３３３の突起部までの空間Ｐ２が形成され、共鳴体３３０の中空領域の体積が増加する。共鳴体３３０の中空領域の体積が増加することで、共鳴体３３０の共鳴周波数は低周波数側にシフトされる。
上記した図３２の共鳴体を使用する好適な例として、筐体構造が異なる複数機種で同一の共鳴体を使用する場合や、製品の設計変更によって内部部品の配置や追加により音響特性が変わる場合に容易に対応することができることが挙げられる。
【００７２】
（ｆ）次に調整機構を備えるヘルムホルツ共鳴体の例を図３３に示す。図３３（ａ）に示すヘルムホルツ共鳴体４１０は、上述したヘルムホルツ共鳴体１２０と同様、胴部４１０Ａと管部４１０Ｂとによって構成されている。胴部４１０Ａは、ネック部４１１を有する壷形状であり、ネック部４１１は、管部４１０Ｂの内周径と同じ外周径の管路を有する。管部４１０Ｂの内周とネック部４１１の外周にはネジ山とネジ溝が各々設けられており、ネジ山とネジ溝の締結によって管部４１０Ｂと胴部４１０Ａの管部４１０Ｂとが嵌合される。胴部４１０Ａを管部４１０Ｂに対して回転させることで、ネック部４１１と管部４１０Ｂとからなる管長Ｌが調整される。管長Ｌが長くなるほどヘルムホルツ共鳴体４１０の共鳴周波数が低周波数側にシフトされる。なお、上記ヘルムホルツ共鳴体１２０の管部１２０Ｂの側面を上記（ｃ）のように可撓性素材を蛇腹状に形成し、胴部１２０Ａを動かして管部１２０Ｂの長さを変えることで管部１２０Ｂの中空領域の長さを調整してもよい。
【００７３】
上記図３３（ａ）に示すヘルムホルツ共鳴体４１０では管長Ｌを調整することで共鳴周波数を調整する例であったが、胴部４１０Ａの体積を調整することで共鳴周波数を調整するようにしてもよい。図３３（ｂ）は胴部の体積を調整する調整機構を有するヘルムホルツ共鳴体４２０の例を示している。ヘルムホルツ共鳴体４２０は、中空領域４２２を有する胴部４２０Ａと、外部空間と接する開口部４２１及び開口部４２１から胴部４２０の中空領域４２２に通じる管路４２３を有する管部４２０Ｂとから構成されている。胴部４２０Ａの内周面にはネジ山が設けられ、胴部４２０Ａの底面に設けられた孔に円柱状の部材４２０Ｃが挿入されている。部材４２０Ｃは、胴部４２０Ａの内周径と同じ外周径を有し、外周には前記ネジ山と嵌合するネジ溝が設けられている。部材４２０Ｃを胴部４２０Ａに対して回転させ、部材４２０Ｃを胴部４２０Ａに対して接離する方向に動かすことで、胴部４２０Ａの中空領域４２２の体積が増える。胴部４２０Ａの中空領域４２２の体積が増えるほど低周波数側に共鳴周波数がシフトされる。なお、図３３（ａ）及び（ｂ）のように、ヘルムホルツ共鳴体に、管長を調整する調整機構又は胴部の中空領域の容積を調整する調整機構のいずれか一方が設けられていてもよいし、両方の調整機構が設けられていてもよい。
【００７４】
また、上記したヘルムホルツ共鳴体１２０の管部１２０Ｂの内径を調整する調整機構が設けられていてもよい。調整機構としては、例えば、管部１２０Ｂの中空領域の径と同じ外周径を有すると共に、管部１２０Ｂの中空領域の長さと同じ長さを有し、両端が開口された円筒形状の部材を管部１２０Ｂに装着し、管部１２０Ｂの径を小さくする。管部１２０Ｂの内径が小さくなるほど共鳴周波数が低周波数側にシフトする。また、板振動共鳴体や屈曲板振動共鳴体等の共鳴周波数を調整する調整機構としては、合成樹脂、金属、繊維板、独立気泡発砲体などの弾性を有し弾性振動を生じる素材を板状に形成した振動板に錘等の付加材料を設けるようにしてもよい。付加部材は、振動板が屈曲振動したときに振幅が極大となる位置を含む領域に貼り付けるようにしてもよい。振動板の質量が重くなることにより、屈曲系の共鳴周波数が低周波数側にシフトする。
【００７５】
（６）上述した実施形態２では、仕切板７０を設ける例を説明したが、仕切板７０の位置に回路基板等の電気部品を配置することで、電気部品を仕切板として用いるようにしてもよい。また、実施形態２において、共鳴体８０は背面板５５の内壁に取り付けられている例を説明したが、筐体部３Ａの内部空間に設けられる他の部材（前板４９の内壁、棚板５３の底面など）と一体に形成されていてもよい。例えば、図３４に示すように、共鳴体と仕切板とが一体成型された仕切・共鳴部材を用いてもよい。図３４（ａ）は、スピーカ設置空間を示す簡略図である。図３４（ｂ）に示すように、仕切・共鳴部材７００は、設置された状態において、スピーカ６０ａ，６０ｂの側に位置する面７１２が、当該面７１２と対向する面７１１より短く、底部７１０ａが開口され上部７１０ｂが塞がれた直方体状の形状を有し、内部には中空領域７１３が設けられている。例えば、仕切・共鳴部材７００を第２共鳴器として機能させる場合には、中空領域７１３の長さＬが音圧を低減させる対象となる周波数の波長の１／４の長さとなるように面７１２の長さを設計すればよい。
【００７６】
（７）上述した実施形態１に係る電子鍵盤楽器として図３５に示すような卓上型電子ピアノ等を適用してもよい。この図において、電子鍵盤楽器１の筐体部３Ｅには鍵盤１１が設けられ、鍵盤１１の上部にはＴＥ１７aが設けられている。筐体部３Ｅの内部空間には放音面が上面方向となるようにスピーカ３０が設けられており、スピーカ３０より下側の空間に共鳴器３２が設けられている。筐体部３Ｅの内部空間において、スピーカ３０が設けられている空間と鍵盤１１が設けられている空間とは繋がっており、筐体部３Ｅは、スピーカ３０からの音を放音面から外部空間に伝搬させる第１の放音経路と、スピーカ３０の背後空間、つまり、スピーカ３０の下側の空間を経由してＴＥ１７a及び鍵盤１１の鍵の隙間から外部空間にスピーカ３０の音を伝搬させる第２の放音経路とを有する。実施形態１と同様、共鳴器３２の開口部の位置は、スピーカ３０が設けられている空間において音圧を低減させる対象となる周波数の固有振動姿態の音圧の腹の場所である。なお、第２の放音経路としては、電子鍵盤楽器の上側ケースと下側ケースとが結合された部分の隙間から鍵盤１１の側又は背面側に向けて音が伝搬される放音経路を有していてもよい。
【００７７】
（８）上述したように、実施形態及び変形例に係る管状の共鳴体は、長手方向に延設される任意位置での長手方向に垂直な断面が一様な管であって、その一方端を音響的に遮蔽する遮蔽端とした管材からなる音響ダンパ体であると言うことができる。また、上述した実施形態及び変形例に係るヘルムホルツ的共鳴体は、空洞部のある容器であって、該空洞部の一方端を開放し該一方端から他方端に向かって奥まった部分が前記一方端の開放部開口面積より大きい面積を有する洞穴部を備えた音響ダンパ体であると言うことができる。さらに狭義のヘルムホルツ型共鳴体は、前記一方端から奥方向に所定長を有する洞部が一様な断面を有しつつ更なる奥部が前記断面の断面積より大の洞穴部を有した音響ダンパ体であると言うことができる。要するに、上述した実施形態及び変形例に係る共鳴体とは、一方端を開口し該一方端から奥まる方向に洞部を有した音響ダンパ体である、と定義される。
【００７８】
（９）上述した実施形態及び変形例では、電子鍵盤楽器にＴＥが設けられている例を説明したが、ＴＥが設けられていない電子鍵盤楽器でもよい。要するに、スピーカが設けられている筐体の内部空間を経由して鍵盤の鍵の隙間等の筐体外に音響的に通じる経路から外部空間にスピーカの音を伝搬させる第２の放音経路を有する電子鍵盤楽器でもよい。また、スピーカが設けられている筐体の内部空間を経由して外部空間にスピーカの音を伝搬させる第２の放音経路は、ＴＥや鍵盤の鍵の隙間に限らない。例えば、内部にスピーカを備え、その放音面の背面の音を外部に導く経路を持った電子ギター、電子バイオリン等の電子弦楽器、スピーカを備え、その放音面の背面の音を外部に導く経路を持ったエレキギター等の電気弦楽器、スピーカを備え、その放音面の背面の音を外部に導く経路を持ったパーカッション等の電子打楽器などに適用してもよい。
【００７９】
（１０）上述した実施形態２及び変形例２では、筐体部３Ａの下側内部空間Ｓ２において仕切られた空間には各々１つのスピーカが設けられている例を説明したが、例えば、図３６（ａ）に示すように、仕切られた空間Ｓ２１，Ｓ２１において複数のスピーカ６０ａ及び６０ｂが各々設けられてもよい。また、図３６（ｂ）に示すように、下側内部空間Ｓ２において共鳴体８０が設けられていない空間にスピーカ６０ｃが設けられていてもよい。また、図３６（ｃ）に示すように、下側内部空間Ｓ２において、共鳴体８０が設けられた
一の空間Ｓ２２には２つのスピーカ６０ａが設けられ、他の空間Ｓ２３には３つのスピーカ６０ｂが設けられていてもよい。要は、２以上のスピーカを少なくとも２組以上に分割するように内部空間が仕切られ、仕切られた空間のうちスピーカが位置する空間のいずれか２つ以上に共鳴体８０が設けられていればよい。
また、上述した実施形態では、筐体部に２つのスピーカが設けられている例を説明したが、スピーカの数はこれに限らず、これより多くても少なくてもよい。すなわち、筐体部に少なくとも１つのスピーカが設けられていればよい。
【００８０】
（１１）上述した実施形態２では、電子鍵盤楽器の例で示したが、スピーカの放音面の背面からの振動を外部に導く放音経路を持ったスピーカを持つ音響システムであれば適用できる。例えば、自動車に搭載されるスピーカボックスなどに適用してもよい。具体的には、筐体構造が複雑な形状となり、その筐体内で発生する音響について、少なくともひとつの特定周波数の固有振動姿態における音圧を低減させる第１の共鳴体を備えると共に、さらに前記特定周波数とは異なる周波数で生じる、スピーカの動きに対する反力を低減させる共鳴体を備えるものであればよい。
【符号の説明】
【００８１】
１，１Ａ，５０１Ａ・・・電子鍵盤楽器、２，２Ａ，５０２Ａ・・・鍵盤ユニット、３，３Ａ，３Ｂ，３Ｃ，３Ｄ，３Ｅ，５０３Ａ・・・筐体部、４，４Ａ，５０４Ａ・・・ペダルユニット、１１，４１，５４１・・・鍵盤、１１ａ…前板、１２・・・操作パネル、１３，４３，５４３・・・腕木部、１４，４４，５４４・・・口棒部、１５，４５，５４５・・・鍵盤蓋、１６・・・譜面板、１７・・・屋根板、１７ａ，４９ａ，５８１ａ・・・トーンエスケープ（音響逃部／ＴＥ），１８，４８，５４８・・・側板、１９，５３，５５３・・・棚板、２０，５５・・・背面板、２１・・・底部部材、２２・・・妻土台、３０，３０ａ，３０ｂ，６０，６０ａ，６０ｂ・・・スピーカ、３２，３２ａ，３２ｂ・・・共鳴器、３４，９０・・・基板、４２，５４２…拍子木部、４６・・・譜面受け、５０，５５０・・・前脚部、５１ａ，５１ｂ，５５１ａ，５５１ｂ…サランネット、６１・・・バッフル板、７０，７０ａ，７０ｂ，５７０・・・仕切板、８０，１３０，２００，３１０・・・共鳴体、８０ａ・・・第１共鳴器、８０ｂ・・・第２共鳴器、１１０・・・板振動共鳴体，１２０，４１０・・・ヘルムホルツ共鳴体、５４９…前板、５８０…スピーカボックス、５８１…前板、５８２ａ，５８２ｂ…内部空間、７００・・・仕切・共鳴部材、Ｗ１・・・第１の放音経路、Ｗ２・・・第２の放音経路
【図１】
0005927998.tif 000003
【図２】
0005927998.tif 000004
【図３】
0005927998.tif 000005
【図４】
0005927998.tif 000006
【図５】
0005927998.tif 000007
【図６】
0005927998.tif 000008
【図７】
0005927998.tif 000009
【図８】
0005927998.tif 000010
【図９】
0005927998.tif 000011
【図１０】
0005927998.tif 000012
【図１１】
0005927998.tif 000013
【図１２】
0005927998.tif 000014
【図１３】
0005927998.tif 000015
【図１４】
0005927998.tif 000016
【図１５】
0005927998.tif 000017
【図１６】
0005927998.tif 000018
【図１７】
0005927998.tif 000019
【図１８】
0005927998.tif 000020
【図１９Ａ】
0005927998.tif 000021
【図１９Ｂ】
0005927998.tif 000022
【図２０】
0005927998.tif 000023
【図２１】
0005927998.tif 000024
【図２２】
0005927998.tif 000025
【図２３】
0005927998.tif 000026
【図２４Ａ】
0005927998.tif 000027
【図２４Ｂ】
0005927998.tif 000028
【図２４Ｃ】
0005927998.tif 000029
【図２５Ａ】
0005927998.tif 000030
【図２５Ｂ】
0005927998.tif 000031
【図２５Ｃ】
0005927998.tif 000032
【図２６】
0005927998.tif 000033
【図２７】
0005927998.tif 000034
【図２８】
0005927998.tif 000035
【図２９】
0005927998.tif 000036
【図３０】
0005927998.tif 000037
【図３１】
0005927998.tif 000038
【図３２】
0005927998.tif 000039
【図３３】
0005927998.tif 000040
【図３４】
0005927998.tif 000041
【図３５】
0005927998.tif 000042
【図３６】
0005927998.tif 000043